(57)【要約】【課題】顔面や後頭部のみならず頭頂部をも保護することが可能となる格闘技用保護具を提供する。【解決手段】格闘技用保護具１は、装着者の顔面側に位置するフェースマスク部２と、該フェースマスク部２と接続され、装着者の前頭部あるいはその近傍上から頭頂部上あるいはその近傍上を経由して後頭部にまで延在する頭部保護パッド３とを備える。フェースマスク部２は、側頭部パッド５と、顎パッド６と、額パッド７とを有する。フェースマスク部２の１対の後方側端部は、長さ調整可能な第１接続具を介して接続され、頭部保護パッド３の後頭部保護部と顎パッド６とは、長さ調整可能な第２接続具を介して接続される。【選択図】        図１
2004267313.tif 000002
【特許請求の範囲】
【請求項１】
装着者の顔面側に配置されるフェースマスク部（２）と、
前記フェースマスク部（２）と接続され、装着者の前頭部あるいはその近傍上から頭頂部上あるいはその近傍上を経由して後頭部にまで至る領域に宛がう頭部保護パッド（３）とを備えた、格闘技用保護具。
【請求項２】
前記フェースマスク部（２）は、装着者の額あるいはその近傍を保護する第１部分と、装着者の耳あるいはその近傍を保護する１対の第２部分と、装着者の顎あるいはその近傍を保護する第３部分とを有し、
前記頭部保護パッド（３）の一端は、前記第１部分と接続され、
前記第２部分同士を接続する第１接続具（１０ｂ）と、
前記頭部保護パッド（３）と前記第３部分と接続する第２接続具（１０ｃ）とをさらに備えた、請求項１に記載の格闘技用保護具。
【請求項３】
前記第３部分は、装着者の顎を保護する顎パッド（６）を含み、
前記顎パッド（６）と前記頭部保護パッド（３）とを前記第２接続具（１０ｃ）で接続し、
前記頭部保護パッド（３）は、装着者の後頭部に宛がうように上下方向に延在し、
前記第１接続具（１０ｂ）を、装着者の首あるいは後頭部に宛がうように左右方向に延在させ、
前記第２接続具（１０ｃ）を、装着者の耳の後方側から顎に向かうように斜め方向に延在させた、請求項２に記載の格闘技用保護具。
【請求項４】
前記頭部保護パッド（３）は、装着者の頭頂部上あるいはその近傍上に配置されるセンター部（３ａ）と、該センター部（３ａ）の両側に配置され前記センター部（３ａ）との間に開口部（１５ａ，１５ｂ）を形成するように装着者の頭頂部と側頭部との間に位置する領域上を延在する第１と第２サイド部（３ｂ，３ｃ）とを有する、請求項１から請求項３のいずれかに記載の格闘技用保護具。
【請求項５】
前記センター部（３ａ）、前記第１および第２サイド部（３ｂ，３ｃ）において装着者の頭部側に配置される表面に、前記センター部（３ａ）、前記第１および第２サイド部（３ｂ，３ｃ）を装着者の頭部に沿って湾曲可能とする凹部（１４ｂ）を設けた、請求項４に記載の格闘技用保護具。
【請求項６】
前記フェースマスク部（２）は、装着者の額を保護する額パッド（７）と、装着者の側頭部および耳を保護する側頭部パッド（５）と、装着者の顎を保護する顎パッド（６）とを含み、
前記額パッド（７）、前記側頭部パッド（５）、前記顎パッド（６）、前記額パッド（７）と前記側頭部パッド（５）との間、および前記側頭部パッド（５）と前記顎パッド（６）との間の少なくとも一箇所に、前記フェースマスク部（２）内のエアを外部に導くエア通路（８ａ〜８ｄ）を設けた、請求項１から請求項５のいずれかに記載の格闘技用保護具。
【発明の詳細な説明】
【０００１】
【発明の属する技術分野】
本発明は、格闘技用保護具に関し、特に、空手、少林寺拳法などの格闘技に使用され、主に顔面や頭部を保護する格闘技用保護具に関する。
【０００２】
【従来の技術】
従来の格闘技用保護具の一例が、たとえば実用新案登録第２５７９９７９号公報に記載されている。該公報には、頭部に装着される保護具本体と、該保護具本体の前面に設けられる顔面を保護するための面部とを備え、保護具本体と面部との間に、面部から保護具本体に伝達される衝撃力を吸収する衝撃力吸収手段を設けた格闘技用顔面保護具が記載されている。
【０００３】
【特許文献１】
実用新案登録第２５７９９７９号公報
【０００４】
【発明が解決しようとする課題】
しかし、実用新案登録第２５７９９７９号公報に記載された格闘技用顔面保護具では、保護具本体と後部間に衝撃を緩衝可能な部材が設置されていない。そのため、頭頂部近傍の保護を充分に行えないという問題があった。特に、投げ技が可能となり、上段蹴りが多くなされ得る状況下では、頭頂部近傍の保護は重要となる。
【０００５】
そこで、本発明は、顔面や後頭部のみならず頭頂部をも保護することが可能となる格闘技用保護具を提供することを目的とする。
【０００６】
【課題を解決するための手段】
本発明に係る格闘技用保護具は、競技者などの装着者の顔面側に配置されるフェースマスク部と、フェースマスク部と接続され、装着者の前頭部あるいはその近傍上から頭頂部上あるいはその近傍上を経由して後頭部にまで至る領域に宛がう頭部保護パッドとを備える。
【０００７】
このように装着者の前頭部あるいはその近傍上から頭頂部上あるいはその近傍上を経由して後頭部にまで至る領域に宛がう頭部保護パッドを設けることにより、装着者の前頭部あるいはその近傍上から頭頂部のみならず頭頂部から後頭部までを保護することができる。また、フェースマスク部により、装着者の顔面を保護することもできる。
【０００８】
上記フェースマスク部は、装着者の額あるいはその近傍を保護する第１部分と、装着者の耳あるいはその近傍を保護する１対の第２部分と、装着者の顎あるいはその近傍を保護する第３部分とを有するものであってもよい。この場合、頭部保護パッドの一端は、第１部分と接続される。そして、格闘技用保護具は、フェースマスク部の第２部分同士を接続する第１接続具と、頭部保護パッドとフェースマスク部の第３部分とを接続する第２接続具とをさらに備えることが好ましい。
【０００９】
上記第３部分は、好ましくは、装着者の顎を保護する顎パッドを含み、該顎パッドと頭部保護パッドとを第２接続具で接続し、頭部保護パッドを、装着者の後頭部に宛がうように上下方向に延在させ、第１接続具を、装着者の首あるいは後頭部に宛がうように左右方向に延在させ、第２接続具を、装着者の耳の後方側から顎に向かうように斜め方向に延在させることが好ましい。
【００１０】
頭部保護パッドは、好ましくは、装着者の頭頂部上あるいはその近傍上に配置されるセンター部と、該センター部の両側に配置されセンター部との間に開口部を形成するように装着者の頭頂部と側頭部との間に位置する領域上を延在する第１と第２サイド部とを有する。
【００１１】
上記センター部、第１および第２サイド部において装着者の頭部側に配置される表面に、センター部、第１および第２サイド部を装着者の頭部に沿って湾曲可能とする凹部を設けることが好ましい。
【００１２】
上記フェースマスク部は、装着者の額を保護する額パッドと、装着者の側頭部および耳を保護する側頭部パッドと、装着者の顎を保護する顎パッドとを含むものであってもよい。この場合、額パッド、側頭部パッド、顎パッド、額パッドと側頭部パッドとの間、および側頭部パッドと顎パッドとの間の少なくとも一箇所に、フェースマスク部内のエアを外部に導くエア通路を設ける。つまり、額パッド、側頭部パッドおよび顎パッドの中の少なくとも１つのパッド自体にエア通路を設けてもよく、これらのパッド間の少なくとも一箇所にエア通路を設けてもよい。
【００１３】
【発明の実施の形態】
以下、本発明の実施の形態における格闘技用保護具について説明する。本実施の形態の格闘技用保護具は、たとえば空手や少林寺拳法のように顔面や頭部を保護する必要がある格闘技に使用可能である。
【００１４】
本実施の形態における格闘技用保護具は、競技者などの装着者の顔面側に位置するフェースマスク部と、該フェースマスク部と接続される頭部保護パッドと、接続具とを備える。
【００１５】
フェースマスク部は、装着者の顔面を覆うことが可能な大きさを有し、装着者の顔面を受け入れることが可能な凹状の形状を有する。また、フェースマスク部は、比較的硬質のマスク本体と、衝撃吸収材とを備え、装着者の額あるいはその近傍を保護する第１部分と、装着者の耳あるいはその近傍を保護する１対の第２部分と、装着者の顎あるいはその近傍を保護する第３部分とを含む。該フェースマスク部により、装着者の顔面を保護することができる。
【００１６】
マスク本体は、装着者の顔面を実質的に覆い、前方が視認可能となるように、たとえばポリカーボネートなどの透明なプラスチックで形成される。マスク本体は、複数の開口部を有している。たとえば装着者の目の前方、口の前方、耳の側方に、単数あるいは複数の開口部を設けることが考えられる。目の前方の開口部は、主として視界を確保する機能を有する。それ以外の開口部は、主として通気孔として機能し、マスク本体が曇るのを抑制することができる。
【００１７】
フェースマスク部の衝撃吸収材としては、たとえば装着者の顎を保護する顎パッド、装着者の額を保護する額パッド、装着者の側頭部および耳を保護する側頭部パッドなどを設けることが考えられる。各パッドは、たとえば衝撃を吸収可能な高分子材料で構成することができ、単層構造であってもよいが、複数の層を積層した積層構造であることが好ましい。顎パッドと額パッドは、複数の高分子材料の層を積層した積層構造で構成することが好ましく、側頭部パッドは、比較的軟質の高分子材料の単層構造で構成すればよい。
【００１８】
複数の高分子材料を積層して各パッドを形成する場合、マスク本体側（外側）に相対的に硬質の高分子材料の層を配置し、装着者側（内側）に相対的に軟質の高分子材料の層を配置することが好ましい。
【００１９】
たとえば、顎パッドを、マスク本体側に位置する顎パッド本体と、装着者側に位置する第１スペーサとで構成した場合に、顎パッド本体の硬度を第１スペーサの硬度よりも高くし、額パッドを、マスク本体側に位置する額パッド本体と、装着者側に位置する第２スペーサとで構成した場合に、額パッド本体の硬度を第２スペーサの硬度よりも高くすることが考えられる。このような構造を採用することにより、打撃などによる衝撃を吸収可能としながらフィット感をも向上することができる。
【００２０】
なお、パッド本体とスペーサとを、ともに複数の高分子材料を積層した材質（多層材）で構成してもよい。たとえば、パッド本体とスペーサとに同じベース素材を使用し、パッド本体を、該ベース素材と、衝撃吸収性に優れた素材とを積層した多層材で構成し、スペーサを、上記ベース素材と、やわらかくフィット性に優れた素材とを積層した多層材で構成することが考えられる。具体的には、ベース素材としてＨａｒｄ  ＥＶＡ（エチレン−酢酸ビニル共重合体）を使用し、パッド本体を、該Ｈａｒｄ  ＥＶＡと、ＶＳ−１（ポリスチレンとビニル−ポリイソプレンとのトリブロック共重合体）との積層材で構成し、スペーサを、Ｈａｒｄ  ＥＶＡと、Ｓｏｆｔ  ＥＶＡとの積層材で構成することが考えられる。
【００２１】
また、２種類の高分子材料を用いてパッド本体やスペーサを作製する場合、相対的に硬質の高分子材料の厚みｔ１と、相対的に軟質の高分子材料の厚みｔ２との比率を、ｔ１：ｔ２＝２：１〜３：１程度とすることが考えられる。このように硬質材の割合を相対的に高くすることにより、衝撃吸収性を高く維持しながらフィット感を向上することができる。なお、硬質材の厚みｔ１を軟質材の厚みｔ２の４倍以上とすることも当然に可能である。この場合には、衝撃吸収性をさらに向上することができる。
【００２２】
他方、パッド本体をＨａｒｄ  ＥＶＡとＶＳ−１とで構成した場合に、Ｈａｒｄ  ＥＶＡとＶＳ−１の割合を０：１〜１：１とし、スペーサをＨａｒｄ  ＥＶＡとＳｏｆｔ  ＥＶＡとで構成した場合に、Ｈａｒｄ  ＥＶＡととＳｏｆｔ  ＥＶＡの割合を１：１〜６：１とすることも可能である。
【００２３】
ここで、ＥＶＡ、Ｈａｒｄ  ＥＶＡ、Ｓｏｆｔ  ＥＶＡおよびＶＳ−１の物性を下記の表１および表２に示す。
【００２４】
【表１】
2004267313.tif 000003
【００２５】
【表２】
2004267313.tif 000004
【００２６】
表２のデータは、厚さ２０ｍｍの試験片に１０ｋｇの重錘を６０ｍｍの高さから１０回落下させた場合の平均値である。また、表２において、「衝撃吸収率」とは、運動エネルギーを音や熱エネルギーに変換することにより素材が吸収する割合のことである。また「最大衝撃加速度」とは、緩衝材用落下衝撃試験機：型式ＣＳＴ−１８０Ｃ（吉田精機（株）製）を用いて、重錘が素材に接触した際に発生する、重錘を減速させる方向の加速度を１／２００００秒単位で測定した時の最大の加速度のことであり、打撃によるダメージの指標として用いる。「硬度」とは、ＳＲＩＳ０１０１（日本ゴム協会標準規格）にある膨張ゴム用スプリング式硬さ試験機（＝アスカーＣ型）で測定した硬度のことである。「最大沈下量」とは、衝撃を受けた時に凹む量のことである。
【００２７】
なお、表２において、Ｓｏｆｔ  ＥＶＡは主にフィット性向上のために使用しているので、硬度以外の各種値は省略している。また、ＶＳ−１は、クラレ社製ハイブラーの銘柄の１つであるが、表１，２に示すＶＳ−１は、発泡倍率や架橋材を変化させることで物性値を制御したものである。
【００２８】
上記のフェースマスク部における額パッド、側頭部パッド、顎パッド、額パッドと側頭部パッドとの間、および側頭部パッドと顎パッドとの間の少なくとも一箇所に、フェースマスク部内のエアを外部に導くエア通路を設けることが好ましい。額パッド、側頭部パッドおよび顎パッドの中の少なくとも１つのパッド自体にエア通路を設けてもよく、これらのパッド間の少なくとも一箇所にエア通路を設けてもよい。エア通路の数は任意に選択可能であるが、複数のエア通路を設けることが好ましい。たとえば、フェースマスク部の外周に沿ってほぼ均等に複数のエア通路を設けることが考えられる。
【００２９】
パッドにエア通路を設ける場合には、パッドの表面を選択的に凹ませ、一端から他端に達する凹部（溝部）を設ければよい。また、パッド間にエア通路を設ける場合、パッド間にフェースマスク部の周囲の空間（外部空間）に連通する隙間を設け、該隙間をエア通路として機能させればよい。なお、上記のエア通路と、フェースマスク部の周囲の空間とを連通させるように、エア通路上に位置するマスク本体に開口部を設けてもよい。
【００３０】
上記のようなエア通路を設けることにより、装着者が吐く息や、装着者の皮膚から放散される汗を含んだ熱気などをフェースマスク部内から外部に放出することができ、マスク本体が曇るのを抑制することができる。
【００３１】
頭部保護パッドは、上述のようにフェースマスク部と接続されるが、接続具を用いてフェースマスク部と接続してもよく、フェースマスク部の一部と一体的に形成されてもよい。たとえば、フェースマスク部のマスク本体と頭部保護パッドとを、接続具を用いて接続したり、フェースマスク部の額パッドから連続して頭頂部側に延びるように頭部保護パッドを設けることが考えられる。
【００３２】
頭部保護パッドは、装着者の前頭部あるいはその近傍上から頭頂部上あるいはその近傍上を経由して後頭部にまで延在し、装着者の前頭部あるいはその近傍から後頭部にまで至る領域に宛がわれる。つまり、該頭部保護パッドは、装着者の前頭部あるいはその近傍上から連続して頭頂部上あるいはその近傍上に達する部分と、頭頂部上あるいはその近傍上に位置する部分と、頭頂部から連続して後頭部にまで達する部分とを備える。これらの部分は、一体の部材で形成してもよく、別部材を連結して形成してもよい。このような頭部保護パッドを採用することにより、装着者の額上部から頭頂部上あるいはその近傍上を経由して後頭部までを保護することができる。
【００３３】
頭部保護パッドの一端は、たとえばベルトなどの接続具を介して、装着者の額あるいはその近傍を保護するフェースマスク部の第１部分と接続される。より詳しくは、頭部保護パッドの一端は、フェースマスク部のマスク本体と接続される。
【００３４】
頭部保護パッドは、装着者の頭頂部上あるいはその近傍上に間隔をあけて配置される１対の帯状部材を有するものであってもよいが、好ましくは、装着者の頭頂部上あるいはその近傍上に配置されるセンター部と、装着者の頭頂部と側頭部との間の部分上に配置される複数のサイド部と、装着者の後頭部を保護する後頭部保護部を有する。サイド部は、好ましくは、センター部の両側に均等に配置され、センター部との間に開口部を形成するように装着者の頭頂部と側頭部との間に位置する領域上を延在する。サイド部の数は任意に選択可能であるが、格闘技用保護具の装着容易性などに鑑み、センター部の両側に１対のサイド部を設けることが好ましい。
【００３５】
このように頭部保護パッドがセンター部とサイド部とを有するので、本実施の形態の格闘技用保護具を装着した際に、装着者の頭頂部およびその近傍の複数箇所を頭部保護パッドによって締め付けることができる。したがって、格闘技用保護具を安定して装着者の頭部に固定することができ、格闘技用保護具の装着後のずれを抑制することができる。また、該頭部保護パッドによって、頭頂部のみならず、頭頂部と側頭部との間の部分も保護することができる。
【００３６】
センター部とサイド部との間に形成される開口部の形状は、センター部とサイド部がともに装着者の頭部に沿うものであれば任意に選択可能である。たとえば略長円形状や略三日月状に類似した細長い形状であってセンター部とサイド部の長手方向に開口部の長手方向が向くような形状とすることが考えられる。
【００３７】
上記センター部およびサイド部において装着者の頭部側に配置される表面に、センター部およびサイド部を装着者の頭部に沿って湾曲可能とする凹部を設けることが好ましい。それにより、センター部およびサイド部が変形し易くなり、センター部およびサイド部を装着者の頭部に沿わせ易くなり、センター部やサイド部の浮き上がりを抑制して所望の接触面積を確保することができる。
【００３８】
上記の凹部としては、たとえばセンター部およびサイド部の長手方向と直交する方向である幅方向あるいは長手方向に対して傾斜した方向である斜め方向に延在し、センター部およびサイド部の幅方向両端に達する溝部を挙げることができる。
【００３９】
センター部に設ける溝部は、典型的には、センター部が装着者の頭頂部に沿って湾曲可能となるように上記幅方向と実質的に平行な方向に延在し、サイド部に設ける溝部は、サイド部が頭頂部と側頭部との間の部分に沿って湾曲可能となるように上記斜め方向に延在することが好ましい。
【００４０】
また、サイド部に設ける溝部は、サイド部の外側（センター部から離れた側）の変形量が内側（センター部側）の変形量よりも多くなるように、外側の側面における開口幅を内側の側面における開口幅よりも大きくすることが好ましい。
【００４１】
センター部およびサイド部に設ける溝部の数は任意に設定可能であるが、複数の溝部を設けることが好ましい。それにより、センター部およびサイド部を、より装着者の頭部に沿って湾曲させ易くすることができる。また、該溝部を設けることにより、装着者の頭部とセンター部やサイド部との間に隙間を設けることができ、センター部やサイド部下において生じ得る熱気や汗を外部に導くこともできる。
【００４２】
上述のように頭部保護パッドは後頭部保護部を有しており、頭部保護パッドのセンター部とサイド部は、典型的には、該後頭部保護部から互いに異なる方向に延びる複数の帯状部材により構成される。この後頭部保護部を有することで、装着者の後頭部をも保護することができる。また、該後頭部保護部を介してフェースマスク部と頭部保護パッドとを接続することで、装着者の前頭部あるいはその近傍から頭頂部およびその近傍を経由して後頭部に至るまでの部分を頭部保護パッドで包み込むような状態となり、あらゆる方向からの頭部への衝撃に対応することができ、かつしっかりと格闘技用保護具を装着することができる。
【００４３】
センター部の長手方向の端部とサイド部の長手方向の端部とは、互いに接続される。このとき、センター部とサイド部の分岐部からのセンター部とサイド部の長さを同程度あるいはサイド部をセンター部よりも短くすることにより、センター部とサイド部の端部同士を接続した際に、サイド部を湾曲させることができる。つまり、２次元パーツで３次元形状が得られることとなる。このようにサイド部を湾曲させることにより、サイド部を装着者の頭部における頭頂部と側頭部との間の部分に沿って延在させることができる。このことも、装着者の顔面および頭部への格闘技用保護具の安定した装着に効果的に寄与し得る。
【００４４】
また、頭部保護パッドの後頭部保護部に開口部を設けることも考えられる。それにより、後頭部保護部を、装着者の後頭部に沿うように湾曲させ易くなる。このことも、格闘技用保護具の安定した装着に貢献し得る。さらに、後頭部保護部の浮き上がりを抑制して装着者の後頭部との所望の接触面積を確保することもできる。
【００４５】
以上のようにパッドの適切な位置に開口部を設けることで、パッド形状を適切に湾曲させて装着者の頭部に沿わせることができるばかりでなく、該開口部を通して汗や熱気を大気中に放散することもできる。したがって、パッドの内側に熱気がこもるのを回避することもできる。
【００４６】
本実施の形態の格闘技用保護具は、上述のように接続具を有している。該接続具としては、たとえばフェースマスク部の端部同士を接続する第１接続具と、頭部保護パッドとフェースマスク部とを接続する第２接続具とを挙げることができる。
【００４７】
接続具としては、たとえば天然繊維製、化学繊維製、革製（人工皮革や合成皮革）あるいはゴムなどの弾性部材で構成されるベルト（帯状部材）を使用可能である。該接続具は、長さ調整具を有することが好ましい。長さ調整具としては、面ファスナやバックルなどを使用可能である。このように長さ調整具を有することにより、ベルトの長さを調整することができ、ベルトによる締付力を調整して所望の締付力で格闘技用保護具を装着することができる。
【００４８】
第１接続具は、たとえばフェースマスク部において装着者の耳あるいはその近傍を保護する１対の第２部分同士を接続する。第１接続具をフェースマスク部に取り付けるには、フェースマスク部の１対の第２部分にそれぞれ貫通孔を設け、該貫通孔に第１接続具を直接あるいは間接的に固定すればよい。第１接続具を間接的にフェースマスク部に固定するには、フェースマスク部に止め具を設け、該止め具を介して第１接続具をフェースマスク部に取り付けることが考えられる。該第１接続具は、好ましくは、装着者の首の後方側あるいは後頭部に沿って左右方向に延在する。
【００４９】
第２接続具は、たとえばフェースマスク部において装着者の顎あるいはその近傍を保護する第３部分と頭部保護パッドとを接続する。該フェースマスク部の第３部分は装着者の顎を保護する顎パッドを含み、該顎パッドと頭部保護パッドとを第２接続具で接続することが好ましい。それにより、装着者の顎と頭部とを一体的に締付けることができ、安定した格闘技用保護具の装着および格闘技用保護具のフィット感向上に寄与し得る。
【００５０】
第２接続具をフェースマスク部に取り付けるには、たとえば頭部保護パッドと顎パッドに止め具を設け、該止め具を介して第２接続具を頭部保護パッドと顎パッドに取付ければよい。また、顎パッドに直接貫通孔を設け、該貫通孔に第２接続具を挿通するようにしてもよい。この第２接続具は、好ましくは、装着者の耳の後方側から顎に向かう斜め方向に延在する。
【００５１】
上述の構造を有する本実施の形態の格闘技用保護具を装着するには、フェースマスク部を顔面に装着し、頭部保護パッドを頭部に装着した後、第１と第２接続具でフェースマスク部の第２部分同士と、頭部保護パッドと顎パッドとを接続するとともに該第１と第２接続具の長さを調節して締付力を調節するだけでよい。
【００５２】
このようにフェースマスク部と頭部保護パッドとを装着した後に、第１と第２接続具の締付動作を行なうだけで格闘技用保護具を装着することができるので、容易に格闘技用保護具を装着することができる。また、頭部保護パッドは装着者の後頭部に沿って上下方向に延在し、第１接続具は左右方向に延在し、第２接続具は斜め方向に延在するので、５方向の締付けを行なうことができ、格闘技用保護具を強固に装着者に固定することができ、装着後の位置ずれを抑制することもできる。
【００５３】
【実施例】
以下、本発明の実施例について図１〜図７を用いて説明する。
【００５４】
図１および図２に示すように、本実施例における格闘技用保護具１は、フェースマスク部２と、頭部保護パッド３と、接続具１０ａ〜１０ｃとを備える。
【００５５】
フェースマスク部２は、図１〜図３に示すように、ポリカーボネート製の透明なマスク本体と、側頭部パッド５と、顎パッド６と、額パッド７とを備える。マスク本体は、凹状の形状を有し、装着者の目の前方に開口部９、装着者の耳の近傍に開口部１１、装着者の口の近傍に開口部１２を備える。
【００５６】
マスク本体に、紐などを介して側頭部パッド５、顎パッド６および額パッド７を取り付ける。側頭部パッド５は、図１の例では装着者の顎の近傍にまで達しており、Ｓｏｆｔ  ＥＶＡで構成される。それにより、格闘技用保護具１を装着した際に耳が痛くなるのを回避することができる。
【００５７】
側頭部パッド５には、図１および図２に示すように、エア通路８ｂ，８ｃを設ける。該エア通路８ｂ，８ｃは、側頭部パッド５の幅方向全体にわたって延在し、フェースマスク部２の内部空間と外部空間とを連通させる。
【００５８】
顎パッド６は、顎パッド本体６ａと、第１スペーサ６ｂとを含む。顎パッド本体６ａは、Ｈａｒｄ  ＥＶＡとＶＳ−１との積層材で構成され、第１スペーサ６ｂは、Ｈａｒｄ  ＥＶＡとＳｏｆｔ  ＥＶＡとの積層材で構成される。そして、たとえば前方から顎パッド本体６ａのＨａｒｄ  ＥＶＡ、ＶＳ−１、第１スペーサ６ｂのＨａｒｄ  ＥＶＡ、Ｓｏｆｔ  ＥＶＡの順で配置される。顎パッド本体６ａにおけるＨａｒｄ  ＥＶＡの厚みは３ｍｍ〜５ｍｍ程度であり、ＶＳ−１の厚みは１０ｍｍ〜１２ｍｍ程度である。該顎パッド本体６ａにおけるＨａｒｄ  ＥＶＡとＶＳ−１との厚みの比率は、１：３である。第１スペーサ６ｂにおけるＨａｒｄ  ＥＶＡの厚みは７ｍｍ〜１５ｍｍ程度であり、Ｓｏｆｔ  ＥＶＡの厚みは３ｍｍ〜５ｍｍ程度である。該第１スペーサ６ｂにおけるＨａｒｄ  ＥＶＡとＳｏｆｔ  ＥＶＡとの厚みの比率は、３：１である。
【００５９】
顎パッド本体６ａは、衝撃吸収性に優れているので、打撃を受けた際の衝撃を効率的に吸収することができる。また、第１スペーサ６ｂは、比較的軟質の材料で構成され、第１スペーサ６ｂを設けることで顎パッド本体６ａと装着者の顎間の隙間を低減することができ、フェースマスク部２のフィット感を向上させることができる。
【００６０】
額パッド７は、額パッド本体７ａと、第２スペーサ７ｂとを含む。額パッド本体７ａは、Ｈａｒｄ  ＥＶＡとＶＳ−１との積層材で構成され、第２スペーサ７ｂは、Ｈａｒｄ  ＥＶＡとＳｏｆｔ  ＥＶＡとの積層材で構成される。Ｈａｒｄ  ＥＶＡとＶＳ−１との厚みおよびその比率ならびにＨａｒｄ  ＥＶＡとＳｏｆｔ  ＥＶＡとの厚みおよびその比率は、顎パッド６の場合と同様である。したがって、顎パッド６の場合と同様の効果が得られる。
【００６１】
図１および図６に示すように、額パッド７と側頭部パッド５との間に間隙を設け、該間隙をエア通路８ｄとして機能させる。また、顎パッド本体６ａと側頭部パッド５間にも間隙を設け、該間隙をエア通路８ａとして機能させる。なお、図１、図２および図６における矢印は、エアの流れる方向を示している。
【００６２】
頭部保護パッド３は、図１，図２および図６に示すように、装着者の前頭部あるいはその近傍上から頭頂部上あるいはその近傍上を経由して後頭部にまで延在する。該頭部保護パッド３は、装着者の前頭部あるいはその近傍上から頭頂部上あるいはその近傍上を経由して後頭部までを保護する機能を有する。
【００６３】
図７（ａ），（ｂ）に、頭部保護パッド３の平面図および裏面図を示す。図７（ａ），（ｂ）に示すように、頭部保護パッド３は、装着者の頭頂部上あるいはその近傍上に配置されるセンター部３ａと、装着者の頭頂部と側頭部との間の部分上に配置される第１と第２サイド部３ｂ，３ｃと、装着者の後頭部を保護する後頭部保護部３ｄとを有する。該頭部保護パッド３は、Ｈａｒｄ  ＥＶＡとＶＳ−１との積層材あるいはＨａｒｄ  ＥＶＡとＳｏｆｔ  ＥＶＡとの積層材で構成される。
【００６４】
センター部３ａ、第１および第２サイド部３ｂ，３ｃは、後頭部保護部３ｄから種々の延びるように設けられる。第１と第２サイド部３ｂ，３ｃは、センター部３ａの両側に配置され、センター部３ａよりも短くする。また、第１と第２サイド部３ｂ，３ｃは、センター部３ａと間隔をあけて設けられ、センター部３ａと所定角度をなすように斜め方向に延在する。
【００６５】
図７（ａ）に示すように、頭部保護パッド３の表面（外側に向けられる表面）に、複数の凹部１４ａを設ける。他方、図７（ｂ）に示すように、頭部保護パッド３の裏面（装着者の頭部側に配置される表面）にも、複数の凹部１４ｂを設ける。該凹部１４ａ，１４ｂを設けることで、センター部３ａ、第１および第２サイド部３ｂ，３ｃを湾曲させ易くすることができる。
【００６６】
図２に示すように、後頭部保護部３ｄの表面には、１対の止め具１３を取り付ける。該止め具１３は環状部材を含み、該止め具１３内に後述する接続具を挿通することにより、接続具が頭部保護パッド３に固定される。
【００６７】
なお、図７（ａ），（ｂ）の例では、後頭部保護部３ｄの中央部近傍に略三角形状の開口部１５ｃを形成している。また、第１と第２サイド部３ｂ，３ｃの先端部は、センター部３ａの先端部と接続される。
【００６８】
第１と第２サイド部３ｂ，３ｃの先端部と、センター部３ａの先端部とを接続した状態を、図１〜図６に示している。図１〜図６に示すように、頭部保護パッド３のセンター部３ａと第１および第２サイド部３ｂ，３ｃとは、全体として湾曲した形状となる。
【００６９】
また、図５に示すように、格闘技用保護具１の装着状態においては、センター部３ａと第１および第２サイド部３ｂ，３ｃとの間に開口部１５ａ，１５ｂが形成される。第１および第２サイド部３ｂ，３ｃは、開口部１５ａ，１５ｂが形成される部分においてはセンター部３ａと離隔しており、センター部３ａに対し若干斜めに傾斜しながらさらに湾曲している。その結果、センター部３ａと第１および第２サイド部３ｂ，３ｃとは、ともに装着者の頭部に沿うこととなり、これらの外表面によって規定される仮想の曲面は、装着者の頭頂部およびその近傍の表面形状と近似した形状となる。なお、開口部１５ｃは、装着者の後頭部の一部を露出させる。
【００７０】
図１，図３，図５，図６に示すように、頭部保護パッド３の一端は、接続具１０ａを介してフェースマスク部２と接続される。接続具１０ａとしては、人工皮革や合成皮革製のベルトを使用している。より詳しくは、フェースマスク部２のマスク本体および頭部保護パッド３に貫通孔を設け、各貫通孔に接続具１０ａを挿通してループ状とし、面ファスナなどの固定部材兼長さ調整具を用いて接続具１０ａの端部を接続具１０ａ自体に固定する。
【００７１】
図２および図４に示すように、頭部保護パッド３の他端側に位置する後頭部保護部３ｄは、接続具１０ｃを介して顎パッド６と接続される。本例では、顎パッド６に貫通孔を設け、該貫通孔および止め具１３に接続具１０ｃを挿通してループ状とし、面ファスナなどの固定部材兼長さ調整具を用いて接続具１０ｃの端部を接続具１０ｃ自体に固定する。
【００７２】
図２に示すように、接続具１０ｂは、フェースマスク部２のマスク本体において装着者の耳およびその近傍を覆う後方側端部にそれぞれ貫通孔を設け、各貫通孔に人工皮革や合成皮革製の部材をそれぞれ挿通してループ状とし、該ループ状部材をそれぞれ環状部材に挿通し、図４に示すようにフェースマスク部２のマスク本体に止め具を取り付ける。そして、この止め具間を接続するように双方の環状部材に接続具１０ｂを挿通してループ状とし、面ファスナなどの固定部材兼長さ調整具を用いて接続具１０ｂの端部を接続具１０ｂ自体に固定する。
【００７３】
図４に示すように、接続具１０ｂは装着者の首の後方側あるいは後頭部に沿って左右方向に延在し、接続具１０ｃは装着者の耳の後方側から顎に向かう斜め方向に延在する。また、頭部保護パッド３は装着者の後頭部に沿って上下方向に延在する。したがって、全ての接続具１０ａ〜１０ｃを用いて各部を接続することにより、結果的に５方向の締付状態を実現することができる。
【００７４】
以上のように本発明の実施の形態および実施例について説明を行なったが、上述の各実施例の特徴的構成を適宜組合せることも可能である。また、今回開示した実施の形態および実施例は全ての点で例示であって制限的なものではないと考えられるべきである。本発明の範囲は特許請求の範囲によって示され、特許請求の範囲と均等の意味および範囲内での全ての変更が含まれる。
【００７５】
【発明の効果】
本発明の格闘技用保護具は、フェースマスク部と、頭頂部上あるいはその近傍上に延在する頭部保護パッドとを備えているので、装着者の顔面および後頭部のみならず頭頂部をも保護することができる。
【図面の簡単な説明】
【図１】本発明の実施例１における格闘技用保護具を前方から見た斜視図である。
【図２】本発明の実施例１における格闘技用保護具を後方から見た斜視図である。
【図３】本発明の実施例１における格闘技用保護具の正面図である。
【図４】本発明の実施例１における格闘技用保護具の背面図である。
【図５】本発明の実施例１における格闘技用保護具の平面図である。
【図６】本発明の実施例１における格闘技用保護具の側面図である。
【図７】（ａ）は、本発明の実施例１における格闘技用保護具の頭部保護パッドの平面図であり、（ｂ）は、（ａ）に示す頭部保護パッドの裏面図である。
【符号の説明】
１  格闘技用保護具、２  フェースマスク部、３  頭部保護パッド、３ａ  センター部、３ｂ  第１サイド部、３ｃ  第２サイド部、３ｄ  後頭部保護部、５側頭部パッド、６  顎パッド、６ａ  顎パッド本体、６ｂ  第１スペーサ、７額パッド、７ａ  額パッド本体、７ｂ  第２スペーサ、８ａ〜８ｄ  エア通路、９，１１，１２，１５ａ〜１５ｃ  開口部、１０ａ〜１０ｃ  接続具、１３  止め具、１４ａ，１４ｂ  凹部。
【図１】
2004267313.tif 000005
【図２】
2004267313.tif 000006
【図３】
2004267313.tif 000007
【図４】
2004267313.tif 000008
【図５】
2004267313.tif 000009
【図６】
2004267313.tif 000010
【図７】
2004267313.tif 000011